(57)【要約】      （修正有）【課題】耳への装着性を良好にするとともに、シンプル化と審美性を向上させるイヤーカフを提供する。【解決手段】イヤーカフは、環状体の内周面１ａと外周面１ｂ間の距離に比して環状体の左右両側面間の距離（幅）が短く、これにより環状体の左右両側面間に幅広平担面が形成されており、しかも環状体の一部に耳の一部を挟みこむためのスリットＳが形成されている。これにより、スリットＳ両端部を互いに反対方向（捩じり方向）に曲げることによりスリットＳ両端の間隙を容易に拡開させて装着できるように環状体の周方向、および環状体の軸線方向に対して非対象方向に向けたバネ力を保持できる。またイヤーカフのスリットＳを中心に環状方向および、環状体側面部が幅広となり光輝反射性が向上する。【選択図】図１
0003233026.tif 000002
【実用新案登録請求の範囲】
【請求項１】
環状体の内周面と外周面間の距離に比して環状体の左右両側面間の距離（幅）が短く、これにより環状体の左右両側面間に幅広平担面が形成されており、しかも環状体の一部に耳の一部を挟みこむためのスリットが形成されていることを特徴とするイヤーカフ。
【請求項２】
環状体の内周面と外周面間の距離に比して環状体の左右両側面間の距離（幅）が短くなるように環状体の側面部を加圧して幅広平坦面とするとともに、該環状体の一部を耳の両側に挟み込めるようにスリットが形成されていることを特徴とするイヤーカフ。
【請求項３】
側面を加圧して環状体の内周面と外周面間の距離に比して環状体の左右両側面間の距離（幅）を短くした平坦面とするとともに該環状体の一部に耳を挟みこむためのスリットが形成され、さらに該環状体のスリット付近を中心とし、スリット両端部の間隙拡開(環状体の周方向拡開)方向、およびスリットの両端部が環状体の中心軸方向に向けて非対象方向（捩じり方向）に向けたバネ力を有することを特徴とするイヤーカフ。
【考案の詳細な説明】
【技術分野】
【０００１】
本考案は、主に女性が耳等に取り付けてオシャレに装飾性を向上させることを目的に用いるイヤーカフに関し、装着の簡易化と不用意な脱落を防止できるようにしたものである。
【背景技術】
【０００２】
従来より汎用されてきたイヤリングは、その多くが耳たぶにピアスホールをあけて、そのピアスホールに種々のデザイン化されたイヤリングを取り付けるようにしていたために、ピアスホールから外れた部分、すなわち耳たぶの上方部や後頭部近く、その他の場所にイヤリングを取り付けることは体裁上の観点より殆ど不可能であった。またイヤリングの取り付け部（端部）の形状やデザイン如何によっては既設のピアスホールではホール内に入らず、さらに別のイヤリングを複数重ね付けする場合にも、耳自体に重さの負担がかかり近時の時代の要請に合わなくなってきている。
【０００３】
そこで最近では耳にピアスホールの穴をあけることなく、イヤリングの掛け輪の両端部により耳の表裏を挟んで耳たぶをはじめとした好みの位置に取り付ける手法が一般的になりつつある。
一例をあげると、合成樹脂により使用者の耳たぶを挟持可能に略Ｕ字状に構成した連結リング部の両端部に、耳の表側に当接させる第一のパッド部と、耳の裏側の磁力対向する位置に当接させる第二のパッド部とを設け、両パッド部のそれぞれに互いに磁力で吸引しあう磁石部を取り付けることにより、耳たぶの任意の位置にイヤリングを取り付けることができるようにしたものが知られている（実用新案登録第３２１０３２９号公報参照）。
【０００４】
また、イヤリング部材における端部同士をハトメ部材にて相互に回動可能に軸着するとともに、上記イヤリング部材の自由端側対向周接面に、両イヤリング部材の回動抵抗を確保するためのＯリングを介装させて、前記イヤリング部材における前記ハトメ部材を設けた位置の反対側の端部付近に耳たぶを挟持する対向挟持面を形成し、さらに前記したイヤリング部材の一方又は双方に装飾体の取り付け部を設けたものもある（特開２０１７−２０９３０１号公報参照）。
【０００５】
さらに、第２部分７０を介して耳たぶを跨ぐ第１部分６０と、レバー３０とからなり、該レバーには板バネ３６が付属するとともに、該板バネによりレバー３０を台座２０に向けて付勢させることにより、付勢部の劣化を生じにくくしたものも知られている（実用新案登録第３２２５２７０号公報参照）。また、環状をしたイヤリング本体１の一部両端に耳たぶを挟むべく環体２aと球体２ｂとを備えるとともに、イヤリング本体に弾性を付与させるためのスプリング３を取り付けることにより耳たぶの疲労感もなく、優しい取り付けが可能とされるイヤリングとしたものなども知られている（実用新案登録第３２２５３０８号公報参照）。
【先行技術文献】
【特許文献】
【０００６】
【特許文献１】実用新案登録第３２１０３２９号公報
【特許文献２】特開２０１７−２０９３０１号公報
【特許文献３】実用新案登録第３２２５２７０号公報
【特許文献４】実用新案登録第３２２５３０８号公報
【考案の概要】
【考案が解決しようとする課題】
【０００７】
しかしながら、特許文献１に記載されたイヤリングは、合成樹脂により使用者の耳たぶを挟持可能に略Ｕ字状に構成した連結リング部の両端部に、耳の表側に当接させる第一のパッド部と、耳の裏側に当接させる第二のパッド部を設け、両パッド部のそれぞれに互いに磁力で吸引しあう磁石部を取り付けることにより、耳たぶの任意の位置にイヤリングを取り付けることができるようにしたものであるために、ピアスホールを必要とせずに、イヤリングを耳たぶの任意の位置に固定保持させることができる利点がある反面で、表裏の磁力作用点を一致させるのに手間どりやすく、また耳たぶを挟む二つの磁石を取り付ける必要があるために、やや量さが増して耳たぶ等の取り付け部分にかかる負担が増すために長時間にわたる装着性には不向きであるほか、装飾感の点において見栄えが良くないといった難点を有する。
【０００８】
また特許文献２に記載の樹脂製イヤリングは耳たぶの任意の位置に取り付けが可能である点においては利点があるものの、両自由端に取り付けた対向挟持面がやや大きすぎてあまり体裁が良くないといった難点がある。さらに特許文献３に記載されているイヤリングは、イヤリングの耳たぶを挟む部分にバネ代わりの付勢部４０を取り付けるために、構造体としてやや大がかりとなり、イヤリングとしての装飾性の点においてやや問題がある。
また特許文献４に記載されたイヤリングにあっては、耳たぶ等に取り付けるためのイヤリングの環状開口部両端の一方に球状の第１遊離部１aと、他方に該球状の第１遊離部１aを耳たぶを介して受け止める環体２aを備えた第１遊離部１ｂとによる留め具２が形成されている。
【０００９】
この場合に留め具２自体の構造は簡易で装飾性を損なう恐れは少ないと思われるものの、留め具２の耳たぶへの負担を軽減するためにイヤリングの環体途中に付勢力を確保するためのスプリング３を取り付ける必要があるところから、その加工性と装飾性の面においてやや問題があり、また製造コストの面においても割高となってしまう難点がある。
【００１０】
そこで本発明は、イヤリングとしても最もシンプルで、装飾性を損なうことなく、しかも耳たぶや耳の任意の位置への取り付けに際して装着が容易で、しかも負担のないイヤーカフを考案するに至ったものである。具体的には、耳に取り付けるための環状のイヤーカフであって、該環状のイヤーカフは環状の内周面と外周面間の距離に比して環状の左右両側面間の距離（幅）が短く、これにより幅広平面に構成され、しかも環状のイヤーカフの一部に耳の一部を挟みこむためのスリットが形成されていることを特徴とするものである。
【００１１】
また本考案は、環状体の一部に耳の一部を挟みこむためのスリットが形成されているとともに、環状体の内・外周間の（厚み）に比して環状体の側面（幅）が幅広となるように環状体の側面部を加圧して扁平に構成してなることを特徴としたイヤーカフにも関する。
【００１２】
さらに本考案は、環状の内周面と外周面間の距離に比して環状の左右両側面間の距離（幅）が短く、これにより幅広平面に構成され、しかも環状のイヤーカフの一部に耳の一部を挟みこむためのスリットが形成されているとともに、該スリットで対向する環状体両端部の間隙拡開方向(環状体の周方向)、およびスリットの両端部が環状体の軸線方向に向けて非対象方向（捩じり方向）に向けたバネ力を有することを特徴とするイヤーカフに関する。
【考案の効果】
【００１３】
本考案は上記したように、耳に取り付けるための環状のイヤーカフであって、該環状のイヤーカフは環状の内周面と外周面間の距離に比して環状の左右両側面間の距離（幅）が短く、これにより環状体の平面（環状体の左右両側面）が平坦な幅広に構成され、しかも環状のイヤーカフの一部に耳の一部を挟みこむためのスリットが形成されているだけであるために構造がシンプルであり、しかも環状の内周面と外周面間の距離に比して環状の左右両側面間の距離（幅）が短く、これにより幅広平面に構成されているところから材質の如何を問わず審美性を維持することができる。
【００１４】
また、環状のイヤーカフの側面（幅）が平担で且つ幅広であるために、材質の如何を問わず単純な環状体に比して周方向および軸方向（捩じり方向）の弾性力が増し、しかも環状のイヤーカフの一部が切り離されているために、弾性力を利用してイヤーカフの切り離し両端部を互いに捩じり方向に曲げつつ両端部間の間隔を広げて耳たぶその他の任意の位置に挟み込むことにより手放した後に弾性力によってスリット両端部が確実に耳の部分を銜えこむことができ、それほどの挟持力を有せずともイヤーカフを確実に耳に取り付けることが可能である。
【図面の簡単な説明】
【００１５】
【図１】本考案の一実施例である平面幅広としたイヤーカフの拡大斜視図。
【図２】イヤーカフを構成する材料の加工の前（ａ）および加工後である図１のＡ−Ａ線部分の断面である図（ｂ）部分の拡大断面図。
【図３】本考案のイヤーカフについての弾性（付勢）方向をあらわした拡大斜視図。
【考案を実施するための形態】
【００１６】
以下において本考案に係るイヤーカフの構成について図面をもとに説明をする。
図１に拡大して記載されたものは、ステンレスや銅あるいは細い合金等の種々の金属類による金属素材１をもとに環状に形成されたイヤーカフをあらわしている。なおこの場合の金属素材１は、例えば図２（ａ）に断面を拡大してあらわしたような断面が円形の素材を該円形素材の側面側から加圧して断面を図２（ｂ）のように加工することができる。
【００１７】
本考案のイヤーカフは図２（ｂ）にあらわしたように上記した環状に加工された金属素材の内周面1aと外周面１ｂとの間の距離に比して環状に加工された金属素材の左右両側面１ｃ・１ｄ間の距離（幅）が短く、これにより左右両側面間の幅が狭くなった分の断面質量に比例して表面が平坦かつ幅広に形成され、しかも環状に形成されたイヤーカフ１の一部には耳の一部を挟みこむためのスリットＳが形成されている.
【００１８】
すなわち本考案は、耳たぶをはじめとした耳の各所に取り付けが可能とした環状のイヤーカフであって、該環状のイヤーカフは環状の内・外周側端面（厚み）１ａ・１ｂ間の距離に比して環状に形成されたイヤーカフの左右の側面（幅）１ｃ・１ｄの部分を平端面にした分だけ塑性変形をして幅広となる（図２（ｂ）を参照）。しかも該環状のイヤーカフの一部には耳たぶあるいは耳の両側に挟んで取り付けるために切断されて一定の間隔（耳たぶの厚みよりは薄い）を介して切り離されたスリットＳが形成されている。
【００１９】
なおこの切り離したスリットＳは、角部分が鋭利であると、耳たぶ等への取り付けや取り外し時に耳に傷をつけやすいので、できるだけ丸みを帯びているのが望ましい。この場合に切り離したスリットＳの両端部については、例えばレーザー加工により丸みを帯びるように角部分を溶かしたり、あるいは接着剤等を塗布して尖った角部分を覆うようにする等により鋭利な部分を無くすと耳を負傷することなく使い勝手がよくなる。
【００２０】
環状をしたイヤーカフの好ましい加工方法としては、断面が図２（ａ）のような一般的な線状の金属材から一度無端状にした環状の金属材を得るとともに、この無端状の金属材を例えばプレス機における平坦な基台（下型）上に、環状金属材の幅側を載せた後に上方から上型を降下させて押圧変形するようにし、あるいはローラー式加圧装置により押し潰してもよい。
【００２１】
そして最後に環状に構成されたイヤーカフ材の一部に切れ目をいれてスリットＳを形成するだけで完成させ、また必要に応じて該スリットＳの尖った部分にレーザー加工や接着剤塗布等を施して耳たぶ等に装着または取り外す際に耳を傷つけることのないように仕上げることで完成する。
【００２２】
環状をしたイヤーカフの金属素材は上記したように環状の内周面と外周面間の距離１ａ・１ｂ間の距離に比して環状の左右両側面間の距離（幅）１ｃ・１ｄ間の距離（厚み）が短く、これにより幅広平面に構成され、外周面間の距離１ａ・１ｂ間の距離に比して環状の左右両側面間の距離（幅）１ｃ・１ｄ間の距離（厚み）が短くなるように押圧加圧することにより、イヤーカフ全体にわたり塑性変形をして、平坦に変形した側面（幅）の金属塑性部分の押圧変形量に比例してイヤーカフ全体の潜在バネ力が向上する。
【００２３】
なお本考案に係るイヤーカフの切れ目であるスリットＳ部分での潜在バネ力については、図３にあらわしたようにスリットＳ部分において、環状をなす周方向については矢印ｌ１方向とｌ２方向との拡開方向のバネ力が、また環状体の軸線方向に対してはｍ１とｍ２方向との相反する捩じり方向のバネ力が発揮される。
【００２４】
これによりスリットＳの両端部を、一方をｍ１へ、また他方をｍ２方向へ互いに相反する方向に捩じりながらスリットＳの両端部の間隔を開いて耳の任意の分部に取り付けるとともに、手放すとスリットＳの両端がバネ力により間隔が復帰して狭まり、そのまま耳に挟まった状態にて取り付けられる。本考案のイヤーカフはこのように環状体１に備わっているバネ力を利用することにより耳に装着した際の装着性が向上するとともに、耳に取り付けるためのスリットＳのバネ力の劣化も殆どなく、耐久性に富むイヤーカフを得ることができる。また例えば記述した特許文献４のように取り付け性を維持補強するためのスプリングなどのような見栄えの悪い部品等を介装させる必要もない。
【００２５】
このような構成とすることにより、耳に装着した際の環状に構成されたイヤーカフの側面（幅）である平坦面幅広部分１ｃ・１ｄの光反射面の増大により、このイヤーカフ単体だけの装着でも外周面（厚み）１ａ・１ｂに対する側面（幅）１ｃ・１ｄの露出面積が増大することから側面（幅）の光輝度が著しく向上し、相当な装飾効果が期待できる。またこの場合に平坦面幅広部分１ｃ・１ｄの光反射面が増大したイヤーカフに、別の装飾材（例えばチェーン飾り（図示省略）を引き通して、さらに装飾効果を増大させることもできる。
【００２６】
またこの場合に用いられる金属は、例えば図２の断面（ａ）のような一般的な断面円形の線状体のものを折り曲げて単純に環状にしたものよりも、断面が円形もしくは略正方形等の断面塑性量差（質量差）のあまりない線条体を環状にしたものに対し、該環状体の全体を平面方向（側面１c・１ｄ方向）に押圧して図２の（ｂ）にあらわしたような縦横部の塑性差（質量差）のある平坦面幅広状の断面形状をなしたイヤーカフとすることにより良好なバネ性を備えたイヤーカフを得ることができる。
【００２７】
上記のようなイヤーカフの略全体にわたりバネ性が付与されたイヤーカフは、内・外周面１a・１ｂ間の距離（厚み）に対する左右の側面（幅）１ｃ・１ｄの露出面積が増大することから側面（幅）１ｃ・１ｄの光反射輝度が著しく向上し、大きな装飾効果が期待できるほかに、耳たぶ等に長時間装着させるためのスプリングの装着等や構成の複雑化を必要としない。
【００２８】
上記したように、本考案によるイヤーカフによれば、耳に装着するためのスプリング等の構成部分を別途必要とすることがなく、しかも耳に対する取り付け性が良好であり、シンプルで、しかも耐久性に富み、見栄えの良好なイヤーカフを得ることができる。
【符号の説明】
【００２９】
１    金属素材
１ａ  環状体の内周面
１ｂ  環状体の外周面
１ｃ  環状体の側面
１ｄ  環状体の側面
２    金属素材１の側面（厚み）側
Ｓ    スリット
【図１】
0003233026.tif 000003
【図２】
0003233026.tif 000004
【図３】
0003233026.tif 000005